(57)【特許請求の範囲】
【請求項１】
複数の基地局装置と、これらを統括する統括局装置と、各基地局装置及び統括局装置に対応して備えられ通信の相手方を切り換えるスイッチング装置とを有し、各スイッチング装置間が無線回線又は光ファイバ回線によって相互に接続される移動通信システムにおいて、
送信側の基地局装置又は統括局装置に対応するスイッチング装置は、
該送信側の基地局装置又は統括局装置からの信号を伝送媒体に拠らず統一された伝送形式の信号に変調する変調手段と、
信号の送信先に応じて、前記変調手段からの信号の出力先を切り換える第１の切り換え手段と、
前記第１の切り換え手段からの信号を、無線回線を介して受信側の基地局装置又は統括局装置に対応するスイッチング装置へ送信する無線信号送信手段と、
前記第１の切り換え手段からの信号を、光ファイバ回線を介して受信側の基地局装置又は統括局装置に対応するスイッチング装置へ送信する光信号送信手段と、
を備え、
受信側の基地局装置又は統括局装置に対応するスイッチング装置は、
送信側の基地局装置又は統括局装置に対応するスイッチング装置からの伝送媒体に拠らず統一された伝送形式の信号を、無線回線を介して受信する無線信号受信手段と、
送信側の基地局装置又は統括局装置に対応するスイッチング装置からの伝送媒体に拠らず統一された伝送形式の信号を、光ファイバ回線を介して受信する光信号受信手段と、
前記無線信号受信手段又は光信号受信手段からの信号を復調する復調手段と、
を備える移動通信システム。
【請求項２】
請求項１に記載の移動通信システムにおいて、
前記変調手段は、前記送信側の基地局装置又は統括局装置からの信号を無線周波数帯の信号に変調することを特徴とする移動通信システム。
【請求項３】
請求項１または２に記載の移動通信システムにおいて、
送信側の基地局装置又は統括局装置に対応するスイッチング装置は、
信号の送信先に応じて、前記変調手段から出力される信号の周波数を制御する第１の周波数制御手段
を備え、
前記第１の切り換え手段が、前記変調手段からの信号の周波数に応じて、該信号の出力先を切り換えるようにした移動通信システム。
【請求項４】
請求項１ないし３のいずれか１項に記載の移動通信システムにおいて、
送信側の基地局装置又は統括局装置に対応するスイッチング装置は、
前記無線信号送信手段からの信号を無線回線へ送信する第１の可変指向性アンテナと、
該第１の可変指向性アンテナの指向性を受信側の基地局装置又は統括局装置に対応するスイッチング装置に向ける第１のビーム形成手段と、
を備える移動通信システム。
【請求項５】
請求項１ないし４のいずれか１項に記載の移動通信システムにおいて、
受信側の基地局装置又は統括局装置に対応するスイッチング装置は、
前記無線信号受信手段又は光信号受信手段からの信号の出力先となる復調手段を切り換える第２の切り換え手段
を備える移動通信システム。
【請求項６】
請求項５に記載の移動通信システムにおいて、
前記第２の切り換え手段は、前記無線信号受信手段又は光信号受信手段からの信号の周波数に応じて、該信号の出力先となる復調手段を切り換えるようにした移動通信システム。
【請求項７】
請求項１ないし６のいずれか１項に記載の移動通信システムにおいて、
受信側の基地局装置又は統括局装置に対応するスイッチング装置は、前記無線信号受信手段又は光信号受信手段からの信号の何れかを選択して復調手段に出力する選択手段を備える移動通信システム。
【請求項８】
請求項１ないし７のいずれか１項に記載の移動通信システムにおいて、
受信側の基地局装置又は統括局装置に対応するスイッチング装置は、
信号の送信元に応じて、前記復調手段が復調する信号の周波数を制御する第２の周波数制御手段
を備える移動通信システム。
【請求項９】
請求項１ないし８のいずれか１項に記載の移動通信システムにおいて、
受信側の基地局装置又は統括局装置に対応するスイッチング装置は、
前記無線回線からの信号を受信して無線信号受信手段へ出力する第２の可変指向性アンテナと、
該第２の可変指向性アンテナの指向性を送信側の基地局装置又は統括局装置に対応するスイッチング装置に向ける第２のビーム形成手段と、
を備える移動通信システム。
【請求項１０】
複数の基地局装置と、これらを統括する統括局装置とからなる移動通信システムにて、各基地局装置及び統括局装置に対応して備えられ、無線回線又は光ファイバ回線によって相互に接続されるスイッチング装置において、
対応する基地局装置又は統括局装置からの信号を伝送媒体に拠らず統一された伝送形式の信号に変調する変調手段と、
信号の送信先に応じて、前記変調手段からの信号の出力先を切り換える第１の切り換え手段と、
前記第１の切り換え手段からの信号を、無線回線を介して受信側の基地局装置又は統括局装置に対応するスイッチング装置へ送信する無線信号送信手段と、
前記第１の切り換え手段からの信号を、光ファイバ回線を介して受信側の基地局装置及び統括局装置に対応するスイッチング装置へ送信する光信号送信手段と、
を備えるスイッチング装置。
【請求項１１】
請求項１０に記載のスイッチング装置において、
前記変調手段は、前記送信側の基地局装置又は統括局装置からの信号を無線周波数帯の信号に変調することを特徴とするスイッチング装置。
【請求項１２】
請求項１０または１１に記載のスイッチング装置において、
信号の送信先に応じて、前記変調手段から出力される信号の周波数を制御する第１の周波数制御手段
を備え、
前記第１の切り換え手段が、前記変調手段からの信号の周波数に応じて、該信号の出力先を切り換えるようにしたスイッチング装置。
【請求項１３】
請求項１０ないし１２のいずれか１項に記載のスイッチング装置において、
前記無線信号送信手段からの信号を無線回線へ送信する第１の可変指向性アンテナと、
該第１の可変指向性アンテナの指向性を受信側の基地局装置又は統括局装置に対応するスイッチング装置に向ける第１のビーム形成手段と、
を備えるスイッチング装置。
【請求項１４】
複数の基地局装置と、これらを統括する統括局装置とからなる移動通信システムにて、各基地局装置及び統括局装置に対応して備えられ、無線回線又は光ファイバ回線によって相互に接続されるスイッチング装置において、
他の基地局装置及び統括局装置に対応するスイッチング装置からの伝送媒体に拠らず統一された伝送形式の信号を、無線回線を介して受信する無線信号受信手段と、
他の基地局装置及び統括局装置に対応するスイッチング装置からの伝送媒体に拠らず統一された伝送形式の信号を、光ファイバ回線を介して受信する光信号受信手段と、
前記無線信号受信手段又は光信号受信手段からの信号を復調する復調手段と、
を備えるスイッチング装置。
【請求項１５】
請求項１４に記載のスイッチング装置において、
前記無線信号受信手段又は光信号受信手段からの信号の出力先となる復調手段を切り換える第２の切り換え手段を備えるスイッチング装置。
【請求項１６】
請求項１５に記載のスイッチング装置において、
前記第２の切り換え手段は、前記無線信号受信手段又は光信号受信手段からの信号の周波数に応じて、該信号の出力先となる復調手段を切り換えるようにしたスイッチング装置。
【請求項１７】
請求項１４ないし１６のいずれか１項に記載のスイッチング装置において、
前記無線信号受信手段又は光信号受信手段からの信号の何れかを選択して復調手段に出力する選択手段を備えるスイッチング装置。
【請求項１８】
請求項１４ないし１７のいずれか１項に記載のスイッチング装置において、
信号の送信元に応じて、前記復調手段が復調する信号の周波数を制御する第２の周波数制御手段を備えるスイッチング装置。
【請求項１９】
請求項１４ないし１８のいずれか１項に記載のスイッチング装置において、
前記無線回線からの信号を受信して無線信号受信手段へ出力する第２の可変指向性アンテナと、
該第２の可変指向性アンテナの指向性を送信側の基地局装置又は統括局装置に対応するスイッチング装置に向ける第２のビーム形成手段と、
を備えるスイッチング装置。
【発明の詳細な説明】
【０００１】
【発明の属する技術分野】
本発明は、複数の基地局装置と、これらを統括する統括局装置と、各基地局装置及び統括局装置に対応して備えられ通信の相手方を切り換えるスイッチング装置とを有し、各スイッチング装置間が無線回線又は光ファイバ回線によって相互に接続される移動通信システムと、該移動通信システムにおけるスイッチング装置に関する。
【０００２】
【従来の技術】
図５は、従来の移動通信システムの構成例を示す図である。同図に示す移動通信システムは、３つの無線基地局３−１〜３−３と、これら無線基地局３−１〜３−３を統括する統括局４からなる例である。この移動通信システムでは、各無線基地局３の相互間と、各無線基地局３と統括局４との間が、各無線基地局３に対応して備えられたスイッチング装置５−１〜５−３及び統括局４に対応して備えられたスイッチング装置５−４と、無線回線２０又は光ファイバ回線３０とによって接続されている。
【０００３】
例えば、移動端末１−１から信号が送信される場合を考える。この場合には、移動端末１−１からの信号は、その移動端末１−１を自局のセル２−１内に含む無線基地局３−１のアンテナ７−１を介して受信される。この無線基地局３−１で受信された信号は、スイッチング装置５−１内のスイッチ１１−１による信号の宛先に応じた切り換え動作により、スイッチング装置５−１内の無線送受信ユニット（ＲＴＲＵ）２１−１、２１−２又は光送受信ユニット（ＯＴＲＵ）３１−１に入力され、ＲＴＲＵ２１−１、２１−２及び無線回線２０を介して、又は、ＯＴＲＵ３１−１及び光ファイバ回線３０を介して、他の無線基地局３−２、３−３又は統括局４に向けて伝送される。
【０００４】
スイッチング装置５−１〜５−４内のＲＴＲＵ２１−１〜２１−８は、無線変復調器（ＭＯＤＥＭ）２３と無線送受信器（ＴＲ）２４を備えている。なお、図５では、無線基地局３−１〜３−３に対応するスイッチング装置５−１〜５−３内のＲＴＲＵ２１−１〜２１−６については、無線変復調器２３と無線送受信器２４の記載を省略している。例えばＲＴＲＵ２１−１に入力された信号は、無線変復調器によって無線伝送用の伝送形式の信号に変換され、無線送受信器によってアンテナ２２−１を介して無線回線２０に伝送される。
【０００５】
一方、スイッチング装置５−１〜５−４内のＯＴＲＵ３１−１〜１３−４は、信号変換器３２と光送受信器（Ｅ／Ｏ、Ｏ／Ｅ）３３を備えている。なお、図５では、無線基地局３−１〜３−３に対応するスイッチング装置５−１〜５−３内のＯＴＲＵ３１−１〜３１−３については、信号変換器３２と光送受信器３３の記載を省略している。例えばＯＴＲＵ３１−１に入力された信号は、信号変換器によって光伝送用の伝送形式の信号に変換され、光送受信器によって光ファイバ回線３０に伝送される。
【０００６】
受信側の無線基地局３−２、３−３又は統括局４では、以下のような動作になる。即ち、受信側が統括局４である場合には、送信側の無線基地局３から無線回線２０又は光ファイバ回線３０により伝送された信号は、統括局４のスイッチング装置５−４内のＲＴＲＵ２１−７、２１−８又はＯＴＲＵ３１−４によって受信され、スイッチ１１−４の切り換え動作により多重／分離装置部４２に送られ、更に回線制御装置４３を介して移動通信ネットワークへ送信される。
【０００７】
一方、受信側が無線基地局３−２である場合には、送信側の無線基地局３−１から光ファイバ回線３０により伝送された信号は、スイッチング装置５−２内のＯＴＲＵ３１−１によって受信され、スイッチ１１−２の切り換え動作によりアンテナ７−２を介して移動端末１−２へ送信される。また、受信側が無線基地局３−３である場合には、送信側の無線基地局３−１から無線回線２０により伝送された信号は、スイッチング装置５−３内のＲＴＲＵ２１−５によって受信され、スイッチ１１−３の切り換え動作によりアンテナ７−３を介して移動端末１−３へ送信される。
【０００８】
【発明が解決しようとする課題】
しかしながら、各無線基地局３の相互間と、各無線基地局３と統括局４との間は、無線回線２０又は光ファイバ回線３０によって接続されており、信号の宛先により伝送媒体が異なる。このため、送信側の無線基地局３又は統括局４に接続されたスイッチング装置５において、伝送媒体に応じた別の伝送形式に変換して送信する必要があり、装置の共用性が低いという問題があった。このため、従来のスイッチング装置５では、例えば伝送媒体を追加したり、変更したりする場合に、ＲＴＲＵ２３やＯＴＲＵ３３を丸ごと追加、変更しなければならず、ネットワークの構築が困難であった。
【０００９】
本発明は、上記問題点を解決するものであり、その目的は、装置の共用性を高めた移動通信システム及びスイッチング装置を提供することにある。
【００１０】
【課題を解決するための手段】
上記の目的を達成するため、本発明は請求項１に記載されるように、複数の基地局装置と、これらを統括する統括局装置と、各基地局装置及び統括局装置に対応して備えられ通信の相手方を切り換えるスイッチング装置とを有し、各スイッチング装置間が無線回線又は光ファイバ回線によって相互に接続される移動通信システムにおいて、送信側の基地局装置又は統括局装置に対応するスイッチング装置は、該送信側の基地局装置又は統括局装置からの信号を伝送媒体に拠らず統一された伝送形式の信号に変調する変調手段と、信号の送信先に応じて、前記変調手段からの信号の出力先を切り換える第１の切り換え手段と、前記第１の切り換え手段からの信号を、無線回線を介して受信側の基地局装置又は統括局装置に対応するスイッチング装置へ送信する無線信号送信手段と、前記第１の切り換え手段からの信号を、光ファイバ回線を介して受信側の基地局装置又は統括局装置に対応するスイッチング装置へ送信する光信号送信手段とを備え、受信側の基地局装置又は統括局装置に対応するスイッチング装置は、送信側の基地局装置又は統括局装置に対応するスイッチング装置からの伝送媒体に拠らず統一された伝送形式の信号を、無線回線を介して受信する無線信号受信手段と、送信側の基地局装置又は統括局装置に対応するスイッチング装置からの伝送媒体に拠らず統一された伝送形式の信号を、光ファイバ回線を介して受信する光信号受信手段と、前記無線信号受信手段又は光信号受信手段からの信号を復調する復調手段とを備える。また、請求項２に記載されているように、前記移動通信システムにおいて、前記変調手段は、前記送信側の基地局装置又は統括局装置からの信号を無線周波数帯の信号に変調する。
【００１１】
このような移動通信システムでは、送信側の基地局装置又は統括局装置に対応するスイッチング装置が、送信対象の信号を統一した伝送形式の信号に変調し、無線回線や光ファイバ回線を介して受信側の基地局装置又は統括局装置に対応するスイッチング装置へ送信しており、伝送媒体が何であるかに関わらず、信号の伝送形式を統一して変調するため、変調手段の共用化を図ることができる。
【００１２】
また、第１の切り換え手段による出力先の切り換え動作を高速に行わせるという観点から、本発明は請求項３に記載されるように、前記移動通信システムにおいて、送信側の基地局装置又は統括局装置に対応するスイッチング装置は、信号の送信先に応じて、前記変調手段から出力される信号の周波数を制御する第１の周波数制御手段を備え、前記第１の切り換え手段が、前記変調手段からの信号の周波数に応じて、該信号の出力先を切り換える。
【００１３】
また、無線信号送信手段を共用化する観点から、本発明は請求項４に記載されるように、前記移動通信システムにおいて、送信側の基地局装置又は統括局装置に対応するスイッチング装置は、前記無線信号送信手段からの信号を無線回線へ送信する第１の可変指向性アンテナと、該第１の可変指向性アンテナの指向性を受信側の基地局装置又は統括局装置に対応するスイッチング装置に向ける第１のビーム形成手段とを備える。
【００１４】
また、受信側の基地局装置又は統括局装置が複数の復調手段を備える場合に、復調手段を選択可能にするという観点から、本発明は請求項５に記載されるように、前記移動通信システムにおいて、受信側の基地局装置又は統括局装置に対応するスイッチング装置は、前記無線信号受信手段又は光信号受信手段からの信号の出力先となる復調手段を切り換える第２の切り換え手段を備える。
【００１５】
また、第２の切り換え手段による出力先の切り換え動作を高速に行わせるという観点から、本発明は請求項６に記載されるように、前記移動通信システムにおいて、前記第２の切り換え手段は、前記無線信号受信手段又は光信号受信手段からの信号の周波数に応じて、該信号の出力先となる復調手段を切り換える。
【００１６】
また、無線信号受信手段及び光信号受信手段によって同時に信号が受信された場合における復調動作を適切に行うという観点から、本発明は請求項７に記載されるように、前記移動通信システムにおいて、受信側の基地局装置又は統括局装置に対応するスイッチング装置は、前記無線信号受信手段又は光信号受信手段からの信号の何れかを選択して復調手段に出力する選択手段を備える。
【００１７】
また、伝送される信号の周波数が送信先毎に異なる場合に、受信側の基地局装置又は統括局装置に対応するスイッチング装置内の復調手段が、その周波数が異なることを利用して所定の送信元からの信号を復調することにより、第２の切り換え手段と同等の切り換え動作を簡易に行うようにするという観点から、本発明は請求項８に記載されるように、前記移動通信システムにおいて、受信側の基地局装置又は統括局装置に対応するスイッチング装置は、信号の送信元に応じて、前記復調手段が復調する信号の周波数を制御する第２の周波数制御手段を備える。
【００１８】
また、請求項１０乃至１９に記載された発明は、請求項１乃至９に記載された移動通信システムに適したスイッチング装置である。
【００１９】
【発明の実施の形態】
以下、本発明の実施の形態を図面に基づいて説明する。図１は、本発明の第１実施例に係る移動通信システムの構成例を示す図である。同図に示す移動通信システムは、３つの無線基地局３−１〜３−３と、これら無線基地局３−１〜３−３を統括する統括局４からなる例である。この移動通信システムでは、各無線基地局３−１〜３−３の相互間と、各無線基地局３−１〜３−３と統括局４との間が、各無線基地局３−１〜３−３に対応して備えられたスイッチング装置５−１〜５−３及び統括局４に対応して備えられたスイッチング装置５−４と、無線回線２０又は光ファイバ回線３０とによって接続されている。この移動通信システムでは、スイッチング装置５−１〜５−４が、通信の相手方を切り換える制御を行うことにより、各無線基地局３−１〜３−３の相互間や各無線基地局３−１〜３−３と統括局４との間で相互に通信ができるようになっている。
【００２０】
無線基地局３−１は、自局のセル２−１内に存在する無線端末１−１からの信号をアンテナ７−１を介して受信して対応するスイッチング装置５−１へ出力するとともに、スイッチング装置５−１からの信号をアンテナ７−１を介して無線端末１−１へ送信する。なお、無線基地局３−２〜３−３も同様の構成であるのでその説明は省略する。
【００２１】
無線基地局３−１に対応して備えられたスイッチング装置５−１は、無線変復調器（ＭＯＤＥＭ）１０−１、スイッチ１１−１、無線送受信器（ＴＲ）１２−１、１２−２、光送受信器（Ｅ／Ｏ、Ｏ／Ｅ）１３−１を備えている。なお、無線基地局３−２に対応して備えられたスイッチング装置５−２及び無線基地局３−３に対応して備えられたスイッチング装置５−３も同様の構成であるのでその説明は省略する。
【００２２】
無線基地局３−１からの信号が他の無線基地局３−２、３−３や統括局４へ送信される場合、無線変復調器１０−１は、その無線基地局３−１からの信号を統一された伝送形式の信号に変換する。例えば、無線変復調器１０−１は、無線基地局３−１からの信号を無線周波数帯（ＲＦ）の信号に変換する。
【００２３】
スイッチ１１−１は、無線基地局３−２、３−３、統括局４の何れかが信号の送信先であるかを認識した上で、その送信先に信号が送信されるように、無線変復調器１０−１からの信号の出力先を無線送受信器１２−１、１２−２、光送受信器１３−１の何れかに切り換える。
【００２４】
無線送受信器１２−１は、スイッチ１１−１からの信号が入力された場合には、その信号をアンテナ２２−１及び無線回線２０を介して、統括局４に向けて送信する。同様に、無線送受信器１２−２は、スイッチ１１−１からの信号が入力された場合には、その信号をアンテナ２２−２及び無線回線２０を介して、無線基地局３−３に向けて送信する。また、光送受信器１３−１は、スイッチ１１−１からの信号が入力された場合には、その信号（電気信号）を光信号に変換し、光ファイバ回線３０を介して、無線基地局３−２に向けて送信する。
【００２５】
一方、無線基地局３−２、３−３、統括局４からの信号が無線基地局３−１へ送信される場合は以下のようになる。即ち、無線送受信器１２−１は、統括局４からの無線信号を無線回線２０及びアンテナ２２−１を介して受信する。同様に、無線送受信器１２−２は、無線基地局３−３からの無線信号を無線回線２０及びアンテナ２２−２を介して受信する。また、光送受信器１３−１は、無線基地局３−２からの光信号を光ファイバ回線３０受信し、電気信号に変換する。
【００２６】
スイッチ１１−１は、これら無線送受信器１２−１、１２−２、光送受信器１３−１によって受信された信号を無線変復調器１０−１に出力する。この場合、無線送受信器１２−１、１２−２、光送受信器１３−１によって２つ以上の信号が同時に受信された場合には、スイッチ１１−１は、これらの信号を１つずつ選択して無線変復調器１０−１に出力する。
【００２７】
なお、無線送受信器１２−１、１２−２、光送受信器１３−１によって２つ以上の信号が同時に受信された場合にも復調処理が可能なように、複数の無線変復調器１０−１が備えられている場合がある。この場合、スイッチ１１−１は、各信号が異なる無線変復調器１０−１に入力されるように、切り換え動作を行う。無線変復調器１０−１は、スイッチ１１−１からの信号を復調して無線基地局３−１へ出力する。無線基地局３−１は、この信号を自局のセル２−１内に存在する無線端末１−１へ送信する。
【００２８】
統括局４は、スイッチング装置５−４、多重／分離装置部４２、回線制御装置４３を備える。スイッチング装置５−４は、無線送受信器（ＴＲ）１２−７、１２−８、光送受信器（Ｅ／Ｏ、Ｏ／Ｅ）１３−４、無線変復調器（ＭＯＤＥＭ）１４−１〜１４−Ｎを備えている。
【００２９】
無線基地局３−１〜３−３からの信号が統括局４へ送信される場合には、以下のようになる。即ち、無線送受信器１２−７は、無線基地局３−１からの無線信号を無線回線２０及びアンテナ２２−７を介して受信する。同様に、無線送受信器１２−８は、無線基地局３−２からの無線信号を無線回線２０及びアンテナ２２−８を介して受信する。また、光送受信器１３−４は、無線基地局３−３からの光信号を光ファイバ回線３０を介して受信する。スイッチ１１−４は、無線送受信器１２−７、１２−８、光送受信器１３−４によって受信された信号の出力先を無線変復調器１４−１〜１４−Ｎの何れかに切り換える。なお、統括局４が複数の無線基地局３からの信号を同時に受信する場合があるため、スイッチ１１−４は、各信号が異なる無線変復調器１４−１〜１４−Ｎに入力されるように、切り換え動作を行う。無線変復調器１４−１〜１４−Ｎは、スイッチ１１−４からの信号を復調する。復調された信号は、多重／分離装置部４２によって多重化され、更に回線制御装置４３を介して移動通信ネットワークへ送信される。
【００３０】
一方、統括局４からの信号が無線基地局３−１〜３−３へ送信される場合、移動通信ネットワークからの信号は、回線制御装置４３を介して多重／分離装置部４２に入力され、この多重／分離装置部４２によって分離された後、無線変復調器１４−１〜１４−Ｎに入力される。無線変復調器１４−１〜１４−Ｎは、その多重／分離装置部４２によって分離された信号を統一された伝送形式の信号に変換する。例えば、無線変復調器１４−１〜１４−Ｎは、上述した無線変復調器１０−１と同様、無線基地局３−１からの信号を無線周波数帯（ＲＦ）の信号に変換する。スイッチ１１−４は、無線基地局３−１〜３−３の何れかが信号の送信先であるかを認識した上で、その送信先に信号が送信されるように、無線変復調器１４−１〜１４−Ｎからの信号の出力先を無線送受信器１２−７、１２−８、光送受信器１３−４の何れかに切り換える。無線送受信器１２−７は、スイッチ１１−４からの信号が入力された場合には、その信号をアンテナ２２−７及び無線回線２０を介して、無線基地局３−１に向けて送信する。同様に、無線送受信器１２−８は、スイッチ１１−４からの信号が入力された場合には、その信号をアンテナ２２−８及び無線回線２０を介して、無線基地局３−２に向けて送信する。また、光送受信器１３−４は、スイッチ１１−４からの信号が入力された場合には、その信号（電気信号）を光信号に変換し、光ファイバ回線３０を介して、無線基地局３−３に向けて送信する。
【００３１】
このように、本実施形態の移動通信システムでは、無線基地局３−１〜３−３の相互間又は無線基地局３−１〜３−３と統括局４との間の伝送媒体が無線回線２０であるか光ファイバ回線であるかに拠らず、信号の伝送形式が統一されている。このため、無線変復調器１０−１〜１０−３、１４−１〜１４−Ｎを各伝送媒体で共用することが可能となる。そして、これらの無線変復調器が共用化されるため、伝送媒体を追加、変更が生じた場合には、無線送受信器１２や光信号送受信器１３を追加、変更するだけでよく、従来のように作業が煩雑になることを防止することができる。
【００３２】
図２は、本発明の第２実施例に係る移動通信システムの構成例を示す図である。同図に示す移動通信システムは、伝送される信号の周波数が送信先毎に異なる場合に適用されるものである。この移動通信システムは、図１に示した移動通信システムと比較すると、無線基地局３−１〜３−３に対応して備えられたスイッチング装置５−１〜５−３が、周波数制御装置１５−１〜１５−３を新たに備え、スイッチ１１−１〜１１−３の代わりに周波数選択型合分波器１６−１〜１６−３を備える。また、統括局４に対応して備えられたスイッチング装置５−４が、周波数制御装置１５−４を新たに備え、スイッチ１１−４の代わりに周波数選択型合分波器１６−４を備える。
【００３３】
まず、無線基地局３−１に対応して備えられたスイッチング装置５−１内の周波数制御装置１５−１及び周波数選択型合分波器１６−１について説明する。無線基地局３−１からの信号が他の無線基地局３−２、３−３や統括局４へ送信される場合、周波数制御装置１５−１は、これら無線基地局３−２、３−３、統括局４の何れかが信号の送信先であるかを認識した上で、その信号の送信先に応じて、無線変復調器１０−１から出力される信号の周波数を制御する。周波数選択型合分波器１６−１は、入力される信号の周波数に応じて、その信号が出力される出力端子を切り換える機能を有しており、無線変復調器１０−１からの信号の周波数に応じて、その信号を無線送受信器１２−１、１２−２、光送受信器１３−１の何れかに出力する。
【００３４】
図３は、周波数選択型合分波器の一例を示す図である。同図に示す周波数選択型合分波器は、無線基地局に対応して備えられたスイッチング装置内に構成され、信号を統括局及び無線基地局１〜Ｎ−１へ送信するための制御を行う場合の例である。この周波数選択型合分波器は、入力側に無線変復調器（ＭＯＤＥＭ）からの信号が入力されると、その信号の周波数に応じて、出力端子を切り換える機能を有している。このため、例えば、統括局へ信号を送信したい場合、その信号の周波数がｆ１であればよい。このため、無線変復調器は、出力する信号の周波数をｆ１に変換して周波数選択型合分波器へ出力する。これにより、第１時指令におけるスイッチ１１−１等による切り換え動作を行わなくても、信号のルーティングが可能となる。
【００３５】
このように、周波数制御装置１５−１が信号の送信先に応じて無線変復調器１０−１から出力される信号の周波数を制御することにより、周波数選択型合分波器１６−１は、入力される信号の周波数に応じて、その信号の出力先を変えるだけでよく、高速な切り換え動作が可能となる。
【００３６】
一方、無線基地局３−２、３−３、統括局４からの信号が無線基地局３−１へ送信される場合には、周波数選択型合分波器１６−１は、無線送受信器１２−１、１２−２、光送受信器１３−１によって受信された信号を無線変復調器１０−１に出力する。この場合、無線送受信器１２−１、１２−２、光送受信器１３−１によって２つ以上の信号が同時に受信された場合には、周波数選択型合分波器１６−１は、これらの信号を１つずつ選択して無線変復調器１０−１に出力する。
【００３７】
なお、無線送受信器１２−１、１２−２、光送受信器１３−１によって２つ以上の信号が同時に受信された場合にも復調処理が可能なように、複数の無線変復調器１０−１が備えられている場合がある。この場合、周波数選択型合分波器１６−１は、無線送受信器１２−１、１２−２、光送受信器１３−１によって受信された信号の出力先を、該信号を復調可能な無線変復調器１０−１に切り換える。あるいは、周波数選択型合分波器１６−１は、各信号が異なる無線変復調器１０−１に入力されるように、切り換え動作を行い、周波数制御装置１５−１は、各無線変復調器１０−１が復調する信号の周波数を制御し、信号が入力される無線変復調器１０−１がその入力される信号を復調することができるようにする。
【００３８】
無線基地局３−２、３−３に対応して備えられたスイッチング装置５−２、５−３内の周波数制御装置１５−２、１５−３及び周波数選択型合分波器１６−２、１６−３は、上述した周波数制御装置１５−１及び周波数選択型合分波器１６−１と同様の構成であるので、その説明は省略する。
【００３９】
次に、統括局４に対応して備えられたスイッチング装置５−４内の周波数制御装置１５−４及び周波数選択型合分波器１６−４について説明する。無線基地局３−１〜３−３からの信号が統括局４へ送信される場合には、周波数選択型合分波器１６−４は、無線送受信器１２−７、１２−８、光送受信器１３−４によって受信された信号の出力先を、該信号を復調可能な無線変復調器１４−１〜１４−Ｎに切り換える。あるいは、周波数選択型合分波器１６−４は、各信号が異なる無線変復調器１４−１〜１４−Ｎに入力されるように、切り換え動作を行い、周波数制御装置１５−４は、各無線変復調器１４−１〜１４−Ｎが復調する信号の周波数を制御し、信号が入力される無線変復調器１４−１〜１４−Ｎがその入力される信号を復調することができるようにする。
【００４０】
一方、統括局４からの信号が無線基地局３−１〜３−３へ送信される場合、移動通信ネットワークからの信号は、回線制御装置４３を介して多重／分離装置部４２に入力され、この多重／分離装置部４２によって分離された後、無線変復調器１４−１〜１４−Ｎに入力される。周波数制御装置１５−４は、各無線変復調器１４−１〜１４−Ｎに入力された信号の送信先が無線基地局３−２、３−３、統括局４の何れかであるかを認識した上で、その信号の送信先に応じて、無線変復調器１４−１〜１４−Ｎから出力される信号の周波数を制御する。周波数選択型合分波器１６−４は、上述した周波数選択型合分波器１６−１と同様、入力される信号の周波数に応じて、その信号が出力される出力端子を切り換える機能を有しており、無線変復調器１４−１〜１４−Ｎからの信号の周波数に応じて、その信号を無線送受信器１２−７、１２−８、光送受信器１３−４の何れかに出力する。このように、周波数制御装置１５−４が信号の送信先に応じて無線変復調器１４−１〜１４−Ｎから出力される信号の周波数を制御することにより、周波数選択型合分波器１６−４は、入力される信号の周波数に応じて、その信号の出力先を変えるだけでよく、高速な切り換え動作が可能となる。
【００４１】
図４は、本発明の第３実施例に係る移動通信システムの構成例を示す図である。同図に示す移動通信システムは、図２に示した移動通信システムと比較すると、無線基地局３−１に対応して備えられたスイッチング装置５−１が、２つの無線送受信器１２−１、１２−２、アンテナ２２−１の代わりに、無線送受信器１２−１、ビーム形成回路（ＢＦＣ）１７−１、アダプティブアンテナ１８−１を備える。無線基地局３−２、３−３に対応して備えられたスイッチング装置５−２、５−３、統括局４に対応して備えられたスイッチング装置５−４についても同様である。以下においては、無線基地局３−１に対応して備えられたスイッチング装置５−１内の無線送受信器１２−１、ビーム形成回路（ＢＦＣ）１７−１、アダプティブアンテナ１８−１について説明する。
【００４２】
無線基地局３−１からの信号が他の無線基地局３−３や統括局４へ送信される場合、即ち無線回線２０を介して信号が送信される場合、周波数選択型合分波器１６−１は、無線変復調器１０−１からの信号を無線送受信器１２−１へ出力する。この無線送受信器１２−１からの信号は、アダプティブアンテナ１８−１から送信される。このとき、無線送受信器１２−１からの信号がビーム形成回路１７−１を通過することにより、アダプティブアンテナ１７−１の指向性は、この信号の送信先である無線基地局３−３に対応して備えられたスイッチング装置５−３のアダプティブアンテナ１８−３、あるいは統括局４に対応して備えられたスイッチング装置５−４のアダプティブアンテナ１８−４に向けられることになる。一方、他の無線基地局３−３や統括局４からの信号が無線基地局３−１へ送信される場合、同様にビーム形成回路１７−１により、アダプティブアンテナ１７−１の指向性が、この信号の送信元である無線基地局３−３に対応して備えられたスイッチング装置５−３のアダプティブアンテナ１８−３、あるいは統括局４に対応して備えられたスイッチング装置５−４のアダプティブアンテナ１８−４に向けられることになる。これにより、無線送受信器やアンテナを複数の無線回線で共用することが可能となる。特に、無線基地局の相互間、無線基地局と統括局との間で多数の無線回線が存在する場合には、無線送受信器やアンテナの共有化により、装置構成を小型化することが可能となる。
【００４３】
なお、上述した実施形態では、無線基地局３−１〜３−３の外部にスイッチング装置５−１〜５−３を構成したが内部に構成するようにしても良い。また、総括局４の内部にスイッチング装置５−４を構成したが外部に構成するようにしても良い。
【００４４】
以上説明したように、無線基地局の相互間、無線基地局と統括局との間の伝送媒体に関わらず、信号の伝送方式が統一されることにより、無線変復調器を複数の回線で共用することができる。従って、伝送媒体を任意に選択することができ、伝送媒体に拠らないネットワークの構築が可能となる。また、ある回線が不通になった場合でも、別の回線で情報を伝送することが容易になる。
【発明の効果】
上述の如く、本願発明によれば、送信側の基地局装置又は統括局装置に対応するスイッチング装置が、送信対象の信号を統一した伝送形式の信号に変調し、無線回線や光ファイバ回線を介して受信側の基地局装置又は統括局装置に対応するスイッチング装置へ送信しており、伝送媒体が何であるかに関わらず、信号の伝送形式を統一して変調するため、変調手段の共用化を図ることができる。
【図面の簡単な説明】
【図１】本発明の第１実施例に係る移動通信システムの構成例を示す図である。
【図２】本発明の第２実施例に係る移動通信システムの構成例を示す図である。
【図３】周波数選択型合分波器の一例を示す図である。
【図４】本発明の第３実施例に係る移動通信システムの構成例を示す図である。
【図５】従来の移動通信システムの構成例を示す図である。
【符号の説明】
１  移動端末
２  セル
３  無線基地局
４  統括局
５  スイッチング装置
７、２２  アンテナ
１０、１４  無線変復調器
１１  スイッチ
１２  無線送受信器
１３  光送受信器
１５  周波数制御装置
１６  周波数選択型合分波器
１７  ビーム形成回路
１８  アダプティブアンテナ
２０  無線回線
３０  光ファイバ回線
【図１】
0003670576.tif 000002
【図２】
0003670576.tif 000003
【図３】
0003670576.tif 000004
【図４】
0003670576.tif 000005
【図５】
0003670576.tif 000006